(57)【要約】【課題】毛髪を傷つけることなく纏めた毛髪に挿入することができ、毛髪に程よく係止して髪止めが確実にできると共に、頭部を飾るアクセサリとなる髪止め具の提供を課題とする。【解決手段】櫛歯本体１０と装飾部２０からなる髪止め具１であって、前記櫛歯本体１０は、前記装飾部２０を取り付けるための台枠部１１と、該台枠部１１の取り付け平面１１ｅの下端から略直角方向に間隔をおいて進出する複数の櫛歯部１２とで構成され、前記櫛歯部１２にはその途中に蛇行状に形成した髪係止部１２ｃを設けている。【選択図】      図１
0003138484.tif 000002
【実用新案登録請求の範囲】
【請求項１】
櫛歯本体と装飾部からなる髪止め具であって、前記櫛歯本体は、前記装飾部を取り付けるための台枠部と、該台枠部の取り付け平面の下端から略直角方向に間隔をおいて進出する複数の櫛歯部とで構成され、前記櫛歯部にはその途中に蛇行状に形成した髪係止部を設けていることを特徴とする髪止め具。
【請求項２】
台枠部は、扁平な線により複数のアーチを形成して、装飾部の取り付け平面を構成していることを特徴とする請求項１に記載の髪止め具。
【請求項３】
櫛歯部は、長手方向に緩やかな湾曲をもって形成してあることを特徴とする請求項１に記載の髪止め具。
【考案の詳細な説明】
【技術分野】
【０００１】
本考案は髪止め具に関する。
【背景技術】
【０００２】
従来、髪止め具は、束ねた髪を止めたり、ヘアスタイルを決めたりできるものであり、またアクセサリもになる。
一方、実用新案登録第３１１４６２２号公報には、飾り部分３と、髪止め具本体２とを有し、髪止め具本体２には、平面視矩形状の薄板帯状であって、その幅方向の一方の側面に前記飾り部分３が結合される台座部分４と、該台座部分４の他方の側面から突出して、且つ互いに間隔を有して設けられた多数の細長い薄板状の櫛歯５とを備え、その櫛歯５の長手方向に台座部分４からリブ６が形成された髪止め具が提供されている。
また特開２００７−１５１７５４号公報には、長板状で湾曲形成された台座部２と、台座部２の長手方向に間隔をおいて且つ前記台座部２より更に湾曲形成された複数の櫛歯３とを有する基板４に飾り部５が設けられ、また所定量の髪を掛止させる掛止凹部８が隣り合う櫛歯３間に設けられた髪止め具が提供されている。
【特許文献１】実用新案登録第３１１４６２２号公報
【特許文献２】特開２００７−１５１７５４号公報
【考案の開示】
【考案が解決しようとする課題】
【０００３】
上記特許文献１に示す髪止め具は、金属板の打ち抜き加工で形成され、複数のリブが連続した円弧状になされており、髪止めをする機能は良いものの、その凹凸の凸部分の先端が鋭くて、毛髪との接触において毛髪を傷つけ易い問題がある。また細長い台座部分４の側面状に飾り部分３が取り付けられるので、飾り部分３の取り付けスペースが少なく、立体的な装飾がし難い問題がある。
また上記特許文献２に示す髪止め具も同様に、櫛歯３が円弧状で、髪止めをする機能は良いものの、その凹凸の凸部分の先端が鋭く、よって毛髪との接触において毛髪を傷つけ易いと言う問題がある。また細長い直線状に形成された基板４に飾り部５を取り付けるようにしているので、飾り部分の取り付けスペースが少なく、立体的な装飾がし難い問題がある。
【０００４】
そこで本考案は上記従来技術の問題を解決し、毛髪を傷つけることなく纏めた毛髪に挿入することができ、毛髪と程よく係止して髪止めが確実にできると共に、頭部を飾るアクセサリとなる髪止め具の提供を課題とする。
【課題を解決するための手段】
【０００５】
上記課題を達成するための本考案の髪止め具は、櫛歯本体と装飾部からなる髪止め具であって、前記櫛歯本体は、前記装飾部を取り付けるための台枠部と、該台枠部の取り付け平面の下端から略直角方向に間隔をおいて進出する複数の櫛歯部とで構成され、前記櫛歯部にはその途中に蛇行状に形成した髪係止部を設けていることを第１の特徴としている。
また本考案の髪止め具は、上記第１の特徴に加えて、台枠部は、扁平な線により複数のアーチを形成して、装飾部の取り付け平面を構成していることを第２の特徴としている。
また本考案の髪止め具は、上記第１の特徴に加えて、櫛歯部は、長手方向に緩やかな湾曲をもって形成してあることを第３の特徴としている。
【考案の効果】
【０００６】
請求項１に記載の髪止め具によれば、櫛歯本体と装飾部からなる髪止め具であって、前記櫛歯本体は、前記装飾部を取り付けるための台枠部と、該台枠部の取り付け平面の下端から略直角方向に間隔をおいて進出する複数の櫛歯部とで構成され、前記櫛歯部にはその途中に蛇行状に形成した髪係止部を設けているので、
前記台枠部の取り付け平面の下端から略直角方向に櫛歯部が形成されていることにより、該櫛歯部を頭部の毛髪に挿着すると、前記台枠部が頭部に対して略垂直になり、台枠部に取り付けられた装飾部が一層目立つようになる。
また前記櫛歯部の前記髪係止部は毛髪に係り易い蛇行状に形成したことにより、毛髪に挿入した前記櫛歯部が毛髪に止まるようになる。
よって本髪止め具の使用に際し、纏めた毛髪に前記櫛歯部を挿入して毛髪を係止させることで、前記櫛歯本体が頭部に挿着されると共に、前記櫛歯部の途中に設けた髪係止部によって前記櫛歯部が毛髪から抜け難くなる。よって前記櫛歯本体の脱落がないようになる。また前記台枠部には装飾部を取り付けることで、頭部の毛髪上に美しい装飾部が表れるようにできる。
【０００７】
請求項２に記載の髪止め具によれば、請求項１に記載の構成による作用効果に加えて、台枠部は、扁平な線により複数のアーチを形成して、装飾部の取り付け平面を構成しているので、
台枠部の扁平な線で形成されることによって、装飾部が取り付け易くなる。また複数のアーチの形成によって、装飾部の装飾デザインを自由に、立体的に構成して取り付けることができる。
【０００８】
請求項３に記載の髪止め具によれば、請求項１に記載の構成による作用効果に加えて、櫛歯部は、長手方向に緩やかな湾曲をもって形成してあるので、
頭部の毛髪に挿入し易い形状になると共に、頭部の形状と合って前記櫛歯本体が毛髪から抜け難くなる。
【考案を実施するための最良の形態】
【０００９】
以下の図面を参照して、本考案の実施形態を詳細に説明する。
図１は本考案の実施形態に係る髪止め具の斜視図、図２は本考案の実施形態に係る髪止め具の装飾部を取り外した状態を示す斜視図、図３は本考案の実施形態に係る髪止め具の側面図である。
【００１０】
先ず図１を参照して、本考案の髪止め具１は、櫛歯本体１０と、装飾部２０とで構成される。
【００１１】
図２も参照して、櫛歯本体１０は、台枠部１１と櫛歯部１２とで構成される。
前記櫛歯本体１０を構成する部材としては、形成がし易くて毛髪にも挿入し易いものとして、鋼線又は銅線を用いて形成される。勿論、他の材料を用いて櫛歯本体１０を形成することも可能である。
【００１２】
台枠部１１は、扁平な線１１ａにより、複数のアーチ１１ｂ、１１ｃ、１１ｄとして構成されている。
台枠部１１は、アーチ１１ｂを左右に２つ設け、その２つの前記アーチ１１ｂに大きいアーチ１１ｃを掛け渡して溶接し、また前記アーチ１１ｂの両側に半円アーチ１１ｄを溶接して、全体として複数のアーチからなる山形形状に形成される。
なお各アーチ間の取り付けは、溶接の他、ロウ付け等の方法で取り付けることができる。
【００１３】
このように台枠部１１は、扁平な線１１ａによって複数のアーチ１１ｂ、１１ｃ、１１ｄを山形状に形成したので、前記台枠部１１全体が広い取り付け平面１１ｅとなって、前記装飾部２０を取り付け易くなる。
扁平な線１１ａは、その扁平面を前記取り付け平面１１ｅの一部として形成している。
【００１４】
櫛歯部１２は、複数本の櫛歯１２ａ、１２ｂから形成される。櫛歯１２ａは前記台枠部１１のアーチ１１ｂから連続して構成され、２本で一対として、本実施形態では２対、計４本設けられている。また櫛歯１２ｂは前記台枠部１１の半円アーチ１１ｄから連続して構成され、櫛歯１２ａの両側に各１本、計２本設けられている。
なお前記櫛歯部１２の本数は、本実施形態では６本としているが、これに限定されることはなく、他の本数とすることも可能である。
【００１５】
前記櫛歯部１２は、前記台枠部１１の取り付け平面１１ｅの下端から略直角方向に間隔をおいて進出するように形成している。これにより前記台枠部１１が持ち易く、前記櫛歯部１２の間隔によって毛髪が絡まずスムーズに挿入することができる。また櫛歯部１２を頭部に挿入すると、前記台枠部１１が頭部に対して略直角となり、台枠部１１に取り付けられる装飾部２０を目立たせることができる。
【００１６】
櫛歯部１２は、毛髪に傷を付けずにスムーズな挿入ができるよう、材質には鋼線又は銅線を用いている。
図３も参照して、櫛歯部１２は、長手方向に緩やかな湾曲をもって形成している。このように櫛歯部１２を緩やかな湾曲形状とすることによって、頭部の毛髪に挿入し易くなると共に、頭部の形状と合って前記櫛歯本体１０が毛髪から抜け難くなる。
【００１７】
また櫛歯部１２の各櫛歯１２ａ、１２ｂには、長手方向の途中を、一定範囲にわたって蛇行状に形成して、髪係止部１２ｃを構成している。
髪係止部１２ｃを設けることにより、櫛歯本体１０を毛髪に挿入させた際に、前記髪係止部１２ｃに毛髪が絡み、前記櫛歯本体１０を毛髪に定着させることができる。
また髪係止部１２ｃは、線形状で角が無いように形成されるので、毛髪を傷めずに係止することができる。
【００１８】
装飾部２０は、立体的な装飾を可能とするため、例えば各種ビーズや天然石を用いて、種々組み合わせて形成することができる。
また装飾部２０は、細い針金によって前記台枠部１１に巻着することができ、自然な感じで取り付けることができる。
【００１９】
上記のような構成により、本髪止め具１は、頭部の毛髪を纏めて止めたい時に、毛髪を纏めて前記櫛歯部１２を挿入して毛髪を係止させる。これによって前記櫛歯本体１０が毛髪に挿着されると共に、前記櫛歯部１２に設けた髪係止部１２ｃによって前記櫛歯本体１０が毛髪から抜け難く挿着される。また台枠部１１は扁平な線１１ａで形成した複数のアーチ１１ｂによって、前記装飾部２０の広い取り付け平面１１ｅが形成されるので、該装飾部２０を自由な形状で取り付けることができる。それにより頭部の毛髪上に美しい装飾部２０が表れるようになり、髪を止める機能と共に、頭部を飾るアクセサリとしても有用な髪止め具となる。
【図面の簡単な説明】
【００２０】
【図１】本考案の実施形態に係る髪止め具の斜視図である。
【図２】本考案の実施形態に係る髪止め具の装飾部を取り外した上体を示す斜視図である。
【図３】本考案の実施形態に係る髪止め具の側面図である。
【符号の説明】
【００２１】
１    髪止め具
１０    櫛歯本体
１１    台枠部
１１ａ  扁平な線
１１ｂ  アーチ
１１ｃ  大きいアーチ
１１ｄ  半円アーチ
１１ｅ  取り付け平面
１２    櫛歯部
１２ａ  櫛歯
１２ｂ  櫛歯
１２ｃ  髪係止部
２０    装飾部
【図１】
0003138484.tif 000003
【図２】
0003138484.tif 000004
【図３】
0003138484.tif 000005